(57)【要約】【課題】複数のプラントの管理を統括して行うことが可能なプラント運転支援装置を提供する。【解決手段】互いに同様な動作特性を有する複数のプラントの夫々から個別的にプラントデータを取得するプラントデータ取得手段と、前記各プラントに個別的に対応して前記各プラントの夫々の基本動作特性を模擬して構築されており、前記取得されたプラントデータに基づいて動作することにより模擬プラントデータを出力する複数のプラント模擬手段と、前記複数のプラントから特定のプラントを選択するプラント選択手段と、前記選択されたプラントに対応するプラント模擬手段からの模擬プラントデータに基づいて、当該模擬プラントの運転状態情報を表示する表示手段と、を備える。【選択図】図２
2007115178.tif 000002
【特許請求の範囲】
【請求項１】
互いに同様な動作特性を有する複数のプラントの運転を支援するプラント運転支援装置であって、
前記複数のプラントの夫々から個別的にプラントデータを取得するプラントデータ取得手段と、
前記各プラントに個別的に対応して前記各プラントの夫々の基本動作特性を模擬して構築されており、前記取得されたプラントデータに基づいて動作することにより模擬プラントデータを出力する複数のプラント模擬手段と、
前記複数のプラントから特定のプラントを選択するプラント選択手段と、
前記選択されたプラントに対応するプラント模擬手段からの模擬プラントデータに基づいて、当該模擬プラントの運転状態情報を表示する表示手段と、
を備えたことを特徴とするプラント運転支援装置。
【請求項２】
前記複数のプラントに関する情報を前記表示手段に一覧表示させる複数プラント一覧表示手段を備え、
前記プラント選択手段は、前記一覧表示された複数のプラントに関する情報に基づいて特定のプラントを選択可能なことを特徴とする請求項１に記載のプラント運転支援装置。
【請求項３】
前記プラント選択手段により選択されたプラントに対して、当該プラントの制御に係る操作内容を含んだ操作情報を入力可能な操作入力手段と、
前記操作情報に応じた操作を前記選択されたプラントに設置されたフィールド機器に施すプラント制御手段と、
を備えたことを特徴とする請求項１又は２に記載のプラント運転支援装置。
【請求項４】
前記プラントの制御に係る操作内容を具体的な物理量で示した具体操作情報と、当該具体制御情報に比べより抽象的且つ簡略化された表現で示した抽象操作情報と、を対応付けて記憶したプラントモデル記憶手段と、
前記個別プラントモデル記憶手段を参照して、前記入力された操作情報に含まれた抽象操作情報に対応する具体操作情報を特定する個別操作特定手段と、
前記特定された具体制御情報に基づいて、前記選択されたプラントのフィールド機器への操作量を決定する操作量決定手段と、
を備え、
前記プラント制御手段は、前記操作量決定手段により決定された操作量に基づいて前記選択されたプラントのフィールド機器を操作することを特徴とする請求項３に記載のプラント運転支援装置。
【請求項５】
前記プラントの動作状態を監視する監視モードと、前記プラントの制御を行う操作モードとを切り換え可能な監視／操作切換手段を備え、
前記プラント操作手段は、前記監視／操作切換手段により操作モードに切り換えられた場合に有効となることを特徴とする請求項３又は４に記載のプラント運転支援装置。
【発明の詳細な説明】
【技術分野】
【０００１】
本発明は、プラントの制御及び運転状態の監視を行うプラント運転支援装置に関する。
【背景技術】
【０００２】
近年、発電、石油精製、鉄鋼、ガス、上下水道などのプラントは、各生産工程における生成物の品質に関する物理量や化学量を実時間（リアルタイム）で計測することが困難であるため、プラント各部に設けられた温度センサ・流量計・圧力センサ等の各種計測機器や、バルブ・ヒータ等の各種調整機器から取得された機器の状況データに応じて、オペレータ自身のプラント運転制御の経験や技術的な秘訣（ノウハウ）に依存した運転制御が行われている。
【０００３】
例えば、プラントデータに基づいてプラントシミュレーションモデルのパラメータを随時修正しながら、プラントの動作と並行してプラントの動作を予測するプラントシミュレータを備えたシステムが開示されている（特許文献１参照）。
【０００４】
図７は、従来のプラント操業形態を模式的に示した図である。
同図に示すように、従来のプラント操業形態は、複数のプラントＰ１、Ｐ２、Ｐ３の夫々に対し、当該各プラントの制御及び監視を行うプラント運転支援装置１０１、１０２、１０３が１対１に接続されることで構成されている。
【０００５】
ここで、各プラント運転支援装置１０１のオペレータ（操作者）２ａは、プラントＰ１から出力される当該プラントの運転状態を示すプラントデータに基づいて、プラント運転支援装置１０１の表示手段１４１に表示されるトレンドデータ等の報知情報を確認することによりプラントの状態監視を行う。また、プラント運転支援装置１０１が備える操作入力手段１５１を介してプラントＰ１の制御を指示する制御情報をプラントＰ１に送信することでプラントＰ１の制御を行う。なお、オペレータ２ｂ及び２ｃに関してもオペレータ２ａと同様にプラントＰ２及びＰ３の管理（監視と制御）を表示手段１４２、１４３及び操作入力手段１５２、１５３を夫々用いて行うことは言うまでもない。
【特許文献１】特開平０９−１３４２１３号公報
【発明の開示】
【発明が解決しようとする課題】
【０００６】
しかしながら、従来のプラント運転支援装置では、制御対象となる各種調整機器は各プラント固有の機器であるため、プラント毎に動作特性が異なり、オペレータはプラント毎に運転制御方法の経験や技術的な秘訣を習得しなければならず、複数のプラントを統括して制御及び監視することができないという問題があった。また、オペレータのプラント運転制御の経験や技術的な秘訣を他のオペレータに伝承させることが困難であるという問題があるため、安定したプラント運転制御を実現させることが困難である。
【０００７】
本発明の課題は、複数のプラントの管理を統括して行うことが可能なプラント運転支援装置を提供することである。
【課題を解決するための手段】
【０００８】
上記課題を解決するため、請求項１に記載の発明は、
複数のプラントの運転を支援するプラント運転支援装置であって、
前記複数のプラントの夫々から個別的にプラントデータを取得するプラントデータ取得手段と、
前記各プラントに個別的に対応して前記各プラントの夫々の基本動作特性を模擬して構築されており、前記取得されたプラントデータに基づいて動作することにより模擬プラントデータを出力する複数のプラント模擬手段と、
前記複数のプラントから特定のプラントを選択するプラント選択手段と、
前記選択されたプラントに対応するプラント模擬手段からの模擬プラントデータに基づいて、当該模擬プラントの運転状態情報を表示する表示手段と、
を備えたことを特徴としている。
【０００９】
更に、請求項２に記載の発明は、請求項１に記載の発明において、
前記複数のプラントに関する情報を前記表示手段に一覧表示させる複数プラント一覧表示手段を備え、
前記プラント選択手段は、前記一覧表示された複数のプラントに関する情報に基づいて特定のプラントを選択可能なことを特徴としている。
【００１０】
更に、請求項３に記載の発明は、請求項１又は２に記載の発明において、
前記プラント選択手段により選択されたプラントに対して、当該プラントの制御に係る操作内容を含んだ操作情報を入力可能な操作入力手段と、
前記操作情報に応じた操作を前記選択されたプラントに設置されたフィールド機器に施すプラント制御手段と、
を備えたことを特徴としている。
【００１１】
更に、請求項４に記載の発明は、請求項３に記載の発明において、
前記プラントの制御に係る操作内容を具体的な物理量で示した具体操作情報と、当該具体制御情報に比べより抽象的且つ簡略化された表現で示した抽象操作情報と、を対応付けて記憶したプラントモデル記憶手段と、
前記個別プラントモデル記憶手段を参照して、前記入力された操作情報に含まれた抽象操作情報に対応する具体操作情報を特定する個別操作特定手段と、
前記特定された具体制御情報に基づいて、前記選択されたプラントのフィールド機器への操作量を決定する操作量決定手段と、
を備え、
前記プラント制御手段は、前記操作量決定手段により決定された操作量に基づいて前記選択されたプラントのフィールド機器を操作することを特徴としている。
【００１２】
更に、請求項５に記載の発明は、請求項３又は４に記載の発明において、
前記プラントの動作状態を監視する監視モードと、前記プラントの制御を行う操作モードとを切り換え可能な監視／操作切換手段を備え、
前記プラント操作手段は、前記監視／操作切換手段により操作モードに切り換えられた場合に有効となることを特徴としている。
【発明の効果】
【００１３】
請求項１に記載の発明によれば、複数のプラントからのプラントデータに基づいて各プラントの基本動作特性を夫々模擬するプラント模擬手段を備えたことにより、各プラント間の動作特性の差異を解消した模擬プラントデータを取得することができるため、各模擬プラントデータの取り扱いを一般化することができる。これにより、例えば、複数のプラントが夫々異なる加熱方式により所定の濃度Ａを有した反応生成物αを生成する動作特性を有していた場合、当該反応生成物αの濃度Ａを基本動作特性とすることで、一般化された共通する基本動作特性「反応生成物αの濃度Ａ」の模擬プラントデータに基づいてプラントを管理することができる。
また、複数のプラントから特定のプラントを選択し、この選択されたプラントに対応するプラント模擬手段からの模擬プラントデータに基づいて、当該模擬プラントの運転状態情報を表示することができる。これにより、選択されたプラントに対応するプラント模擬手段１２からの模擬プラントデータに基づいてプラントの運転状態を確認することが可能であるため、複数のプラントの監視を統括して行うことができる。
【００１４】
請求項２に記載の発明によれば、複数のプラントに関する情報が一覧表示された画面に基づいて特定のプラントを選択することが可能であるため、容易な操作で複数のプラントから特定のプラントを選択することができる。
【００１５】
請求項３に記載の発明によれば、選択されたプラントの制御に係る操作を個別的に行うことが可能であるため、複数のプラントの制御を統括して行うことができる。
【００１６】
請求項４に記載の発明によれば、プラントの制御に係る操作内容を具体的な物理量に比べより抽象的且つ簡略化された表現で示した抽象操作情報により指示することができるため、オペレータはプラント固有の操作方法を習熟する必要が無くなる。そのため、プラント固有の機器構成や具体的な操作方法を知らなくても、本来そのプラントに要求される基本的な動作を身に付けてさえいれば運転操作することが可能であるため、オペレータの操作負荷を低減させることができるとともに、オペレータのプラントの運転制御の経験に拘わらず、安定したプラントの運転制御を実現することができる。
【００１７】
請求項５に記載の発明によれば、プラントの動作状態を監視する監視モードと、前記プラントの制御を行う操作モードとを切り換えることが可能であり、プラント操作手段は、操作モードに切り換えられた場合に有効となるため、プラント制御の誤操作を防止することができる。
【発明を実施するための最良の形態】
【００１８】
以下、図面を参照して本発明を実施するための最良の形態について詳細に説明する。ただし、発明の範囲は図示例に限定されないものとする。
【００１９】
まず、図１及び図２を参照して、プラント運転支援装置１００について説明する。
図１は、本発明に係るプラント運転支援装置１００によるプラント操業形態を模式的に示した図である。図２は、プラント運転支援装置１００の内部構成を示した図であって、特定のプラント（プラントＰ１）の管理（監視及び操作）に係る各機能部を示した図である。
【００２０】
図１及び図２に示すとおり、プラント運転支援装置１００は、プラントデータ取得手段１１ａ、１１ｂ、１１ｃ、プラント模擬手段１２ａ、１２ｂ、１２ｃ、データ表示部１３ａ、１３ｂ、１３ｃ、表示手段１４、操作入力手段１５、プラント選択手段１６、監視／操作切換手段１７、プラント操作部１８から構成されている。
【００２１】
プラントＰ１、Ｐ２、Ｐ３は、発電、石油精製、鉄鋼、ガス、上下水道等のプラント施設であって、各プラントはプラント運転支援装置１００と相互に通信可能に接続されている。なお、各プラントは、互いに同様な動作特性を有していることが好ましい。ここで、動作特性とは、各プラントにより実現される特定の事象に係る動作の特性を意味する。なお、各プラントにおいて動作特性とする事象の規模は特に問わず、プラント全体により実現される事象を対象としてもよいし、特定の工程等により実現される事象を対象としてもよい。
【００２２】
プラントデータ取得手段１１ａ、１１ｂ、１１ｃ（以下、総じてプラントデータ取得手段１１という）は、プラントＰ１、Ｐ２、Ｐ３の夫々に設置された１又は複数のフィールド機器から出力されるプラントデータを取得し、プラント模擬手段１２ａ、１２ｂ、１２ｃへと夫々出力する。ここで、フィールド機器とは、温度センサ、圧力センサ、流量センサ等の計測機器と、バルブ開閉器や火力調整器等の調整機器を含む意であって、当該フィールド機器により計測される計測量や、調整の度合いを示す調整量等がプラントデータとして出力される。
【００２３】
プラント模擬手段１２ａ、１２ｂ、１２ｃ（以下、総じてプラント模擬手段１２という）は、物理法則又は化学法則の各種諸量に基づいた数式を用いて作成されたプラント制御モデルを用いてプラントＰ１〜Ｐ３内の各種工程を夫々模擬するプラントシミュレータであって、プラントデータ取得手段１１により夫々取得されたプラントデータに基づいて、各プラントの基本動作特性を夫々模擬し、当該模擬されたプラントの運転状態を示す模擬プラントデータ（プロセスデータ）をデータ表示部１３ａ、１３ｂ、１３ｃへと夫々出力する。
【００２４】
ここで、基本動作特性とは、各プラントにより実現される基本的な事象（例えば、最終生成物生成）に係る動作の特性を意味しており、例えば、プラントＰ１を燃料電池プラントとした場合には、このプラントで生成される水素量や駆動用電力として発電する発電量（電力量）等に係る動作を対象とすることができる。なお、プラントＰ１、Ｐ２及びＰ３は、互いに同様な動作特性を有する場合には当該動作特性を基本動作特性とすることが好ましい。このように、各プラントの基本動作特性を夫々模擬するプラント模擬手段を備えたことにより、各プラント間の動作特性の差異を解消したプロセスデータを取得することができるため、各プロセスデータの取り扱いを一般化することができる。これにより、例えば、プラントＰ１、Ｐ２が夫々異なる加熱方式により所定の濃度Ａを有した反応生成物αを生成する動作特性を有していた場合、当該反応生成物αの濃度Ａを基本動作特性とすることで、一般化された共通する基本動作特性「反応生成物αの濃度Ａ」のプロセスデータに基づいてプラントを管理することができる。
【００２５】
データ表示部１３ａ、１３ｂ、１３ｃ（以下、総じてデータ表示部１３という）は、プラント模擬手段１２から入力されるプロセスデータに基づいて、当該プラント模擬手段１２により模擬された各プラントの運転状態情報を含む各種情報を表示手段１４に表示させる。
【００２６】
また、データ表示部１３は、操作入力手段１５を介して行われる選択等の画面操作に応じ、表示手段１４の表示画面上に表示される画面の切り換え等を行う。また、データ表示部１３は、プラント選択手段１６、監視／操作切換手段１７からの制御に応じ、表示手段１４の表示画面上に表示される画面の制御を行う。
【００２７】
さらに、データ表示部１３は、不揮発メモリ等からなる不図示の記憶手段を備え、当該記憶手段にプラントＰ１〜Ｐ３の夫々に関する固定的な情報（例えば、アイコン画像や各プラントの名称等の不変的な情報）が記憶されているものとし、データ表示部１３の要求に応じて適宜読み出され、プロセスデータに基づいて表示される動的な情報とともに表示されるものとする。なお、本実施の形態では、データ表示部１３をプラント模擬手段１２に応じた数量備えた構成としたが、これに限らず、プラント模擬手段１２から入力される複数のプロセスデータを一のデータ表示手段で処理させる態様としてもよい。
【００２８】
データ表示部１３は、図２に示すとおり、複数プラント一覧表示手段１３１、トレンド表示手段１３２、オーバービュー表示手段１３３、詳細プロセス表示手段１３４を有して構成される。
【００２９】
ここで、複数プラント一覧表示手段１３１は、プラント模擬手段１２から入力される運転状態情報に基づいて当該運転状態情報を各プラントに関する情報として表示手段１４の表示画面上に一覧表示させる。
【００３０】
図３は、複数プラント一覧表示手段１３１による制御により表示手段１４の表示画面上に表示された複数プラント一覧表示画面の一例を示した図である。同図において、領域Ａ１には、プラントＰ１〜Ｐ３の夫々に対応するアイコン画像（Ｉ１〜Ｉ３）が表示されており、当該各アイコン画像の下部に位置する領域Ａ２に、夫々のプラントに関する情報が表示されるようになっている。
【００３１】
トレンド表示手段１３２は、プラント模擬手段１２から入力される運転状態情報に基づいて各プラントの運転状態を時系列的に示したトレンドグラフを表示手段１４の表示画面（例えば、図３の領域Ａ２１、Ａ２２、Ａ２３等）に表示させる。
【００３２】
オーバービュー表示手段１３３は、後述する操作入力手段１５を介して複数のプラントから特定のプラントが選択された場合に、当該選択されたプラントの動作に係る各種工程を示した工程情報及び各工程に含まれるプロセスの流れを概略的に示した概要プロセスフロー情報を表示手段１４の表示画面上に表示させる。
【００３３】
図４は、オーバービュー表示手段１３３による制御により表示手段１４の表示画面上に表示されたオーバービュー表示画面の一例を示した図である。なお、ここでは、プラントＰ１が選択された場合のオーバービュー表示画面を示しており、当該選択されたプラントＰ１に関する情報が領域Ａ３に表示されるようになっている。同図において、領域Ａ４には、上述した工程情報が表示されており、領域Ａ５には、概要プロセスフロー情報が表示されるようになっている。
【００３４】
詳細プロセス表示手段１３４は、上述した図４のオーバービュー表示画面の領域Ａ５に表示された概要プロセスフロー情報から、操作入力手段１５を介して特定のプロセスが選択された場合に、当該プロセスに係る詳細情報を表示手段１４の表示画面上に表示させる。
【００３５】
図５は、詳細プロセス表示手段１３４による制御により表示手段１４の表示画面上に表示された詳細プロセス表示画面の一例を示した図である。同図において、アイコン画像Ｉ４〜Ｉ８は特定のプロセスに係るフィールド機器を示しており、操作入力手段１５を介して各フィールド機器の状態を個別的に表示したり、操作したりできるようになっている。
【００３６】
表示手段１４は、ＬＣＤ（Liquid Crystal Display）やＥＬ（Electro Luminescence）ディスプレイ等によって構成され、プラント運転支援装置１００内において処理される各種情報を表示画面上に表示する。また、表示手段１４は、操作入力手段１５と一体的にタッチパネルを構成することとしてもよい。
【００３７】
操作入力手段１５は、キーボードやポインティングデバイス等の機械的な入力装置であって、オペレータ２は、当該操作入力手段１５を介してプラント運転支援装置１００に係る種々の操作を行うことが可能となっている。
【００３８】
具体的に、操作入力手段１５は、プラントの監視を行う監視モードと、プラントの制御に係る操作を行う操作モードとを切り換え可能な切換ボタン（不図示）を有しており、この切換ボタンを介した指示信号（以下、切換信号という）がプラント選択手段１６を介して監視／操作切換手段１７に出力されるようになっている。
【００３９】
また、操作入力手段１５は、表示手段１４に表示された複数プラント一覧表示画面（図３参照）に基づいて特定のプラントを選択することが可能となっており、この選択されたプラントに対応する指示情報（以下、プラント指示情報という）がプラント選択手段１６に出力されるようになっている。
【００４０】
具体的には、図３に示した複数プラント一覧表示画面の領域Ａ１に表示された複数のアイコン画像（Ｉ１〜Ｉ３）から、特定のプラントに対応するアイコン画像を操作入力手段１５を介して選択することで、この選択されたプラントに対応するプラント指示情報がプラント選択手段１６に出力されるようになっている。これにより、容易な操作で複数のプラントから特定のプラントを選択することができる。なお、本実施の形態では、アイコン画像Ｉ１〜Ｉ３から特定のプラントを選択することとしたが、これに限らず、他の領域が指示されることにより特定のプラントが選択できる態様としてもよい。また、図３では、指状のカーソルアイコンを、操作入力手段１５を介して操作することにより、特定のプラント（プラントＰ１）を選択する態様を示したが、選択方法はこれに限らないものとする。
【００４１】
さらに、操作入力手段１５は、前記選択された特定のプラントに対し、当該プラントの制御に係る操作内容を含んだ操作情報を入力することが可能となっている、この入力された操作情報がプラント選択手段１６、監視／操作切換手段１７を介してプラント操作部１８に出力されるようになっている。
【００４２】
具体的には、図４に示したオーバービュー表示画面の領域Ａ４、Ａ５及び図５に示した詳細プロセス表示画面に表示された各種アイコン画像を操作入力手段１５を介して指定し、操作情報を入力することが可能となっており、当該指定されたアイコン画像に対応する工程やフィールド機器に対する操作情報が監視／操作切換手段１７を介してプラント操作部１８に出力されるようになっている。なお、図４及び図５では、指状のカーソルアイコンを、操作入力手段１５を介して操作することにより、特定の工程やフィールド機器を指定する態様を示しているが、指定方法はこれに限らないものとする。
【００４３】
オペレータ２により操作入力手段１５を介して入力される操作情報には、プラントの制御に係る操作内容として抽象的且つ簡略化された表現により示される抽象操作情報が含まれるものとする。ここで、抽象操作情報とは、プラント制御に係る操作内容を具体的な物理量（例えば、パーセント（％）や実数値）で示した具体操作情報に比べより抽象的且つ簡略化された表現（例えば、「少し増加」、「大きく減少」等）により示した情報である。これにより、操作入力手段１５を操作するオペレータ２は、上述した抽象操作情報に対応する抽象的な操作を行うことによりプラントの制御を行うことが可能であるため、容易な操作で各プラントを制御することができる。
【００４４】
プラント選択手段１６は、データ表示部１３を制御し、操作入力手段１５から入力されるプラント指示情報で指示されたプラントに関する各種情報を表示手段１４の表示画面上に表示させる。
【００４５】
また、プラント選択手段１６は、操作入力手段１５から入力されるプラント指示情報と操作情報とを操作切換手段１７を介して、プラント操作部１８に出力する。
【００４６】
監視／操作切換手段１７は、操作入力手段１５の切換ボタン（不図示）を介して入力される切換信号に応じ、プラントの監視を行う監視モードと、プラントの制御に係る操作を行う操作モードとを切り換える。
【００４７】
具体的に、監視／操作切換手段１７は監視モード時において、プラント選択手段１６を介して入力される操作情報及びプラント指示信号のプラント操作部１８への出力を無効化することで、プラントの制御に係る操作が行われないよう排他処理を行うとともに、データ表示部１３を制御することで、表示手段１４の表示画面に基づいた操作情報の入力が行われないよう表示画面の排他処理を行わせる。
【００４８】
また、監視／操作切換手段１７は操作モード時において、プラント選択手段１６を介して入力される操作情報及びプラント指示信号のプラント操作部１８への出力を有効化することで、プラントの制御に係る操作が可能な状態へと移行させるとともに、データ表示部１３を制御することで、表示手段１４の表示画面に基づいた操作情報の入力が可能な状態へと表示画面を移行させる。これにより、後述するプラント操作手段１８１は、操作モードに切り換えられた場合に有効となるため、オペレータ２によるプラント制御の誤操作を防止することができる。
【００４９】
プラント操作部１８は、図２に示すとおり、プラント操作手段１８１、プラントモデル記憶手段１８２、個別操作特定手段１８３、操作量決定手段１８４、プラント制御手段１８５を有して構成され、プラントの制御に係る操作を実施する。
【００５０】
プラント操作手段１８１は、監視／操作切換手段１７を介してプラント選択手段１６から入力される操作情報とプラント指示信号とを対応付けて個別操作情報として個別操作特定手段１８３に出力する。
【００５１】
プラントモデル記憶手段１８２は、データベース（ＤＢ）手段等であって、上述した操作内容抽象操作情報として指示される操作内容と、当該抽象操作内容により指示される事象を実現させるためにフィールド機器に施す操作量を具体的な物理量で示した具体操作情報と、を対応付けた操作シーケンステーブルをプラント毎に予め記憶している。ここで、具体操作情報の操作量には、各プラントの運転制御方法の経験や技術的な秘訣（ノウハウ）に基づいた値が登録されることが好ましい。
【００５２】
個別操作特定手段１８３は、プラント操作手段１８１から入力される個別操作情報に含まれたプラント指示信号に対応するプラントの操作シーケンステーブルを参照し、当該個別操作情報に含まれた抽象操作情報に対応する具体操作情報を特定する。そして、この特定された具体操作情報をプラント指示信号と対応付けて操作量決定手段１８４に出力する。
【００５３】
操作量決定手段１８４は、個別操作特定手段１８３から入力される具体操作情報及びプラント指示信号に基づいて、当該プラント指示信号で指示されたプラントに設置されたフィールド機器の操作量を決定し、プラント制御手段１８５に出力する。
【００５４】
プラント制御手段１８５は、操作量決定手段１８４で決定された操作量に応じた制御を、プラント指示信号で指示されたプラントのフィールド機器に対して実施することで、プラントの制御を行う。
【００５５】
上記構成のプラント運転支援装置１００は、ＣＰＵ（Central Processing Unit）、ＲＯＭ（Read Only Memory）、ＲＡＭ（Random Access Memory）等から構成される不図示の制御系により制御されているものとする。なお、プラント運転支援装置１００は上述した各部の夫々又は何れかに備えられた制御系により制御される態様としてもよいし、プラント運転支援装置１００に単一に備えられた制御系により統括的に制御される態様としてもよい。
【００５６】
なお、制御系による制御は、ＲＯＭに記憶された各種データやシステムプログラム等をＲＡＭ内に展開し、これらのプログラム及びデータとの協働により行うソフトウェア処理により実現される態様としてもよいし、ハードウェア処理により実現される態様としてもよく、ソフトウェア処理とハードウェア処理との組合せにより実現される態様としてもよい。
【００５７】
次に、図６を参照して、プラント運転支援装置１００の制御系により実行されるプラント運転支援処理について説明する。なお、本プラント運転処理における各処理は、上述した制御系及びプラント運転支援装置１００の各部が有する機能により実行される処理を示している。
【００５８】
まず、複数プラント一覧表示手段１３１により表示手段１４の表示画面上に複数プラント一覧表示画面（図３参照）が表示される（ステップＳ１１）。次いで、この表示画面に基づき、各プラントに対応するアイコン画像Ｉ１〜Ｉ３から特定のプラントが操作入力手段１５を介して選択されるまで待機される（ステップＳ１２；Ｎｏ）。
【００５９】
ステップＳ１２において、特定のプラントが選択されたと判定された場合には（ステップＳ１２；Ｙｅｓ）、続いて、監視／操作切換ボタンを介した操作により監視／操作切換手段が監視モード又は操作モードの何れに設定されているかが判定される（ステップＳ１３）。
【００６０】
ここで、監視モードに設定されていると判定された場合には（ステップＳ１３；監視モード）、複数プラント一覧表示手段１３１によりステップＳ１２で選択されたプラントに関する情報を含んだ画面（図４、図５参照）が、表示手段１４の表示画面上に表示され（ステップＳ１４）、ステップＳ１９へと移行する。
【００６１】
一方、ステップＳ１３において、操作モードに設定されていると判定された場合には（ステップＳ１３；操作モード）、複数プラント一覧表示手段１３１によりステップＳ１２で選択されたプラントに関する情報を含んだ画面（図４、図５参照）が、表示手段１４の表示画面上に表示された後（ステップＳ１５）、操作入力手段１５を介した操作により操作情報が入力されるまで待機が行われる（ステップＳ１６；Ｎｏ）。
【００６２】
ステップＳ１６において、操作情報（抽象操作情報）が入力されたと判定された場合には（ステップＳ１６；Ｙｅｓ）、個別操作特定手段１８３によりステップＳ１２で選択されたプラントの操作シーケンステーブルがプラントモデル記憶手段１８２から参照され、ステップＳ１６で入力された抽象操作情報に対応する具体操作情報が特定される（ステップＳ１７）。
【００６３】
続いて、操作量決定手段１８４によりステップＳ１７で特定された具体操作情報に基づいて、ステップＳ１２で選択されたプラントに設置されたフィールド機器の操作量が決定され、この操作量に応じた制御がプラント制御手段１８５により実施された後（ステップＳ１８）、ステップＳ１９へと移行する。
【００６４】
ステップＳ１９では、本処理を終了する旨の終了指示信号が操作入力手段１５を介して入力されたか否かが判定され、終了指示信号の入力が確認されない場合には（ステップＳ１９；Ｎｏ）、ステップＳ１３へと再び戻る。また、ステップＳ１９において終了指示信号が入力されたと判定された場合には（ステップＳ１９；Ｙｅｓ）、本処理は終了する。
【００６５】
以上のように、本実施の形態によれば、複数のプラントＰ１〜Ｐ３から特定のプラントを選択し、この選択されたプラントに対応するプラント模擬手段１２からのプロセスデータに基づいて当該模擬プラントの運転状態情報を表示することができる。これにより、選択されたプラントに対応するプラント模擬手段１２からのプロセスデータに基づいてプラントの運転状態を確認することが可能であるため、複数のプラントの監視を統括して行うことができる。
【００６６】
また、選択されたプラントの制御に係る操作を個別的に行うことが可能であるため、複数のプラントの制御を統括して行うことが可能であり、プラントの制御に係る操作内容を具体的な物理量に比べより抽象的且つ簡略化された表現で示した抽象操作情報により指示することができるため、オペレータはプラント固有の操作方法を習熟する必要が無くなる。そのため、プラント固有の機器構成や具体的な操作方法を知らなくても、本来そのプラントに要求される基本的な動作を身に付けてさえいれば運転操作することが可能であるため、オペレータの操作負荷を低減させることができるとともに、オペレータのプラントの運転制御の経験に拘わらず、安定したプラントの運転制御を実現することができる。
【００６７】
上記実施の形態におけるプラント運転支援装置１００の細部構成および詳細動作に関しては、本発明の趣旨を逸脱しない範囲で適宜変更可能である。
【００６８】
例えば、上記実施の形態では、操作入力手段１５を介して入力される操作情報の操作内容を抽象操作情報としたが、これに限らず、具体操作情報を直接入力可能な態様としてもよい。この場合、プラント制御手段１８５は、監視／操作切換手段１７を介して入力される具体制御情報に基づいてプラント指示信号で指示されたプラントのフィールド機器を直接制御することとしてもよく、また、プラント模擬手段１２の機能を用いない態様としてもよい。
【００６９】
また、操作入力手段１５を介して入力された操作手順を不図示の記憶手段に記憶することで、過去に入力された操作情報を参照可能な構成とすることとしてもよい。この場合、複雑な操作であっても、その操作手順を適時参照することが可能であるため、各プラントの制御に係る操作の利便性を向上させることができる。
【００７０】
また、プラント運転支援装置１００にパスワード入力により認証を行うパスワード認証手段や指紋や虹彩等の生体情報により認証を行う生体認証手段等の認証手段を更に備え、当該認証手段による認証が許可された後、プラント運転支援装置１００に対する操作を可能とする態様としてもよい。例えば、上述した複数プラント一覧表示画面（図３参照）を表示する態様としてもよく、また、操作モードへの移行時に認証手段による認証を行う態様としてもよい。これにより、プラント運転支援装置１００のセキュリティを向上させることができる。
【００７１】
さらに、上記実施の形態では、プラント運転支援装置１００によりプラントの管理（監視及び制御）を行うこととしたが、これに限らず、例えば、ビルやオフィス等の建造物内に配置された監視カメラにより監視と、当該監視カメラの制御に適用することとしてもよい。この場合、データ表示部１３により管理対象となる建造物の見取り図や監視カメラからの映像を表示させることが好ましい、
【図面の簡単な説明】
【００７２】
【図１】本発明のプラント運転支援装置によるプラント操業形態を模式的に示した図である。
【図２】本発明のプラント運転支援装置の内部構成を示した図である。
【図３】表示手段の表示画面上に表示された複数プラント一覧表示画面の一例を示した図である。
【図４】表示手段の表示画面上に表示されたオーバービュー表示画面の一例を示した図である。
【図５】表示手段の表示画面上に表示された詳細プロセス表示画面の一例を示した図である。
【図６】プラント運転支援処理の手順を示したフローチャートである。
【図７】従来のプラント運転支援装置によるプラント操業形態を模式的に示した図である。
【符号の説明】
【００７３】
Ｐ１、Ｐ２、Ｐ３  プラント
２、２ａ、２ｂ、２ｃ  オペレータ
１００、１０１、１０２、１０３  プラント運転支援装置
１１、１１ａ、１１ｂ、１１ｃ  プラントデータ取得手段
１２、１２ａ、１２ｂ、１２ｃ  プラント模擬手段
１３、１３ａ、１３ｂ、１３ｃ  データ表示部
１３１  複数プラント一覧表示手段
１３２  トレンド表示手段
１３３  オーバービュー表示手段
１３４  詳細プロセス表示手段
１４、１４１、１４２、１４３  表示手段
１５、１５１、１５２、１５３  操作入力手段
１６  プラント選択手段
１７  監視／操作切換手段
１８  プラント操作部
１８１  プラント操作手段
１８２  プラントモデル記憶手段
１８３  個別操作特定手段
１８４  操作量決定手段
１８５  プラント制御手段
【図１】
2007115178.tif 000003
【図２】
2007115178.tif 000004
【図３】
2007115178.tif 000005
【図４】
2007115178.tif 000006
【図５】
2007115178.tif 000007
【図６】
2007115178.tif 000008
【図７】
2007115178.tif 000009